(57)【要約】【課題】ヒューズ容量が異なるが同一形状の複数のヒューズを、ヒューズボックスのそれぞれに対応するヒューズ挿入口に誤りなく挿入する。【解決手段】１０Ａ（アンペア）のヒューズ７ａを１つ、２０Ａのヒューズ７ｂを２つ、１５Ａのヒューズ７ｃを３つ、ヒューズボックス１０の６つのヒューズ挿入口１９ａ、１９ｂ、１９ｃに挿入する場合、１つのヒューズ通し穴１５ａを持つ第１のプレート１１をヒューズボックス１０の上面１０ａに位置決めして置き（図４（ロ））、ヒューズ通し穴１５ａの位置のヒューズ挿入口１９ａにヒューズ７ａを挿入する。次いで、３つのヒューズ通し穴１５ｂを持つ第２のプレート１２を置いて（図４（ハ））、空いている２つのヒューズ通し穴１５ｂの位置のヒューズ挿入口１９ｂにヒューズ７ｂを挿入する。次いで、６つのヒューズ通し穴１５ｃを持つ第３のプレート１３を置いて（図４（ニ））、空いている３つのヒューズ通し穴１５ｃの位置のヒューズ挿入口１９ｃにヒューズ７ｃを挿入する。【選択図】      図４
2004186054.tif 000002
【特許請求の範囲】
【請求項１】
同一形状で容量の異なる複数のヒューズをヒューズボックスのヒューズ挿入口に挿入する際に、ヒューズ挿入口に、当該ヒューズ挿入口に挿入すべきヒューズとは別の容量のヒューズを誤って挿入することを防止するためのヒューズ誤挿入防止治具であって、
容量の種類ｎに等しいｎ枚のプレートからなり、第１のプレートは第１の容量のヒューズが挿入されるヒューズ挿入口に対応するヒューズ通し穴を備え、第２のプレートは第１の容量及び第２の容量の各ヒューズが挿入されるヒューズ挿入口に対応するヒューズ通し穴を備え、以下同様に、第ｎのプレートは第１、第２、…、第ｎの容量の各ヒューズが挿入されるヒューズ挿入口に対応するヒューズ通し穴を備えたことを特徴とするヒューズボックスのヒューズ誤挿入防止治具。
【請求項２】
前記複数のプレートを、ヒューズ通し穴の数が少ない順に綴じ合わせたことを特徴とする請求項１記載のヒューズボックスのヒューズ誤挿入防止治具。
【請求項３】
前記第１の容量のヒューズの数Ｍ１、第２の容量のヒューズの数Ｍ２、…、第ｎの容量のヒューズの数Ｍｎが、Ｍ１≦Ｍ２≦…≦Ｍｎであることを特徴とする請求項１記載のヒューズボックス用のヒューズ誤挿入防止治具。
【請求項４】
前記第１のプレート以外の第ｋのプレートにおいて、第ｋの容量のヒューズに対応するヒューズ通し穴の縁部に、又は、それ以外のヒューズ通し穴の縁部に、両者を互いに区別する区別標識を設けたことを特徴とする請求項１記載のヒューズボックスのヒューズ誤挿入防止治具。
【請求項５】
すべてのヒューズのヒューズ挿入口に対応するヒューズ通し穴を持ち、各ヒューズ通し穴の縁部に容量種類の確認のための容量確認用標識を持つ最終確認用プレートを設けたことを特徴とする請求項１記載のヒューズボックスのヒューズ誤挿入防止治具。
【請求項６】
請求項１のヒューズ誤挿入防止治具を用いて、同一形状で容量の異なる複数のヒューズを、ヒューズボックスのヒューズ挿入口に挿入するヒューズボックスのヒューズ挿入方法であって、
最初に、第１のプレートをヒューズボックスのヒューズ群装着面に位置決めして置いて、第１のプレートの各ヒューズ通し穴の位置のヒューズ挿入口に第１の容量のヒューズを挿入し、
次いで、第２のプレートをヒューズボックスのヒューズ群装着面に位置決めして置いて、第２のプレートの各ヒューズ通し穴のうち空いている箇所のヒューズ挿入口に第２の容量のヒューズを挿入し、
以下同様にして、第ｎのプレートをヒューズボックスのヒューズ群装着面に位置決めして置いて、第ｎのプレートの各ヒューズ通し穴のうち空いている箇所のヒューズ挿入口に第ｎの容量のヒューズを挿入することを特徴とするヒューズボックスのヒューズ挿入方法。
【発明の詳細な説明】
【０００１】
【発明に属する技術分野】
この発明は、ヒューズボックスのヒューズ挿入口に、対応しないヒューズ容量のヒューズを挿入することを防止するためのヒューズ誤挿入防止治具に関する。
【０００２】
【従来の技術】
図１１は従来のヒューズ誤挿入防止構造を示すもので、４は例えば自動車用のヒューズボックス、１はヒューズボックス４に装着されるヒューズである。各ヒューズ１ののカバーケースの上端部には、ヒューズ容量を識別するための突起１ａ、１ｂ、１ｃをそのヒューズ容量（３０Ａ、４０Ａ等）に対応して異なる位置に設けている。一方、ヒューズボックス４には、複数のヒューズ挿入口５とともにヒューズ位置決め板２を装着するための囲い壁６を設けている。２はヒューズ誤挿入を防止するためのヒューズ位置決め板２である。このヒューズ位置決め板２は、ヒューズボックス４の各ヒューズ挿入口５に対応した位置に規制穴３を備えており、各規制穴３にはヒューズ１の突起１ａ、１ｂ、１ｃに対応する案内溝３ａ、３ｂ、３ｃを設けている。
【０００３】
上記のヒューズボックス４に各ヒューズ１を装着する場合、ヒューズ位置決め板２をヒューズボックス４の囲い壁６内に装着し、各ヒューズ１をヒューズ位置決め板２の規制穴５を通してヒューズ挿入口５に挿入する。この場合、ヒューズ１を、そのヒューズ容量に正しく対応する規制穴３に挿入した時には、突起１ａ、１ｂ、１ｃが案内溝３ａ、３ｂ、３ｃを通過し、各ヒューズ挿入口５に円滑に挿入される。しかし、ヒューズ１を間違った規制穴３に挿入した時には、突起と案内溝とが互いに干渉して規制穴３を通過することができず、ヒューズ挿入口５に挿入できないので、ヒューズ１の誤挿入を未然に防止できる。（実公昭６２−１５９６２号参照）。
【０００４】
【特許文献１】
実公昭６２−１５９６２号公報
【０００５】
【発明が解決しようとする課題】
ところで、近年の自動車のヒューズボックスには、図１０（イ）、（ロ）に示すようなブレード形ヒューズ７が標準として多量に使用されているが、自動車に用いられるブレード形ヒューズ７は一般に、ヒューズ容量によらずすべて同一形状とされており、カバーケース８をヒューズ容量毎に異なる色とすること、および上面に容量表示をすることで、それぞれのヒューズ容量の識別を可能にしている。
したがって、この種のブレード形ヒューズ７をヒューズボックスに装着する場合は、ヒューズ７の形状がヒューズ容量によらず同一なので、上述のような突起１ａ、１ｂ、１ｃとヒューズ位置決め板２とによるヒューズ誤挿入防止構造を採用することはできない。このため、この種のブレード形ヒューズの場合、例えば、ヒューズボックスのヒューズ挿入口近傍に記載したヒューズ容量表示を見ながら、そのヒューズに対応する所定のヒューズ挿入口に挿入するという作業となるが、迅速な作業が困難で能率的でない上、ヒューズの誤挿入が生じ易いという問題がある。
【０００６】
本発明は上記従来の欠点を解消するためになされたもので、ヒューズボックスに装着されるヒューズがヒューズ容量によらずすべて同一形状である場合に、ヒューズ容量の異なる複数のヒューズをそれぞれに対応するヒューズ挿入口に誤りなく挿入することができるヒューズボックスのヒューズ誤挿入防止治具、及びヒューズ挿入方法を提供することを目的とする。
【０００７】
【課題を解決するための手段】
上記課題を解決する請求項１の発明は、同一形状で容量の異なる複数のヒューズをヒューズボックスのヒューズ挿入口に挿入する際に、ヒューズ挿入口に、当該ヒューズ挿入口に挿入すべきヒューズとは別の容量のヒューズを誤って挿入することを防止するためのヒューズ誤挿入防止治具であって、
容量の種類ｎに等しいｎ枚のプレートからなり、第１のプレートは第１の容量のヒューズが挿入されるヒューズ挿入口に対応するヒューズ通し穴を備え、第２のプレートは第１の容量及び第２の容量の各ヒューズが挿入されるヒューズ挿入口に対応するヒューズ通し穴を備え、以下同様に、第ｎのプレートは第１、第２、…、第ｎの容量の各ヒューズが挿入されるヒューズ挿入口に対応するヒューズ通し穴を備えたことを特徴とする。
【０００８】
請求項２は、請求項１のヒューズ誤挿入防止治具における複数のプレートを、ヒューズ通し穴の数が少ない順に綴じ合わせたことを特徴とする。
【０００９】
請求項３は、請求項１のヒューズ誤挿入防止治具において、第１の容量のヒューズの数Ｍ１、第２の容量のヒューズの数Ｍ２、…、第ｎの容量のヒューズの数Ｍｎが、Ｍ１≦Ｍ２≦…≦Ｍｎであることを特徴とする。
【００１０】
請求項４は、請求項１のヒューズ誤挿入防止治具の第１のプレート以外の第ｋのプレートにおいて、第ｋの容量のヒューズに対応するヒューズ通し穴の縁部に、又は、それ以外のヒューズ通し穴の縁部に、両者を互いに区別する区別標識を設けたことを特徴とする。
【００１１】
請求項５は、請求項１のヒューズ誤挿入防止治具において、すべてのヒューズのヒューズ挿入口に対応するヒューズ通し穴を持ち、各ヒューズ通し穴の縁部に容量種類の確認のための容量確認用標識を持つ最終確認用プレートを設けたことを特徴とする。
【００１２】
請求項６は、請求項１のヒューズ誤挿入防止治具を用いて、同一形状で容量の異なる複数のヒューズを、ヒューズボックスのヒューズ挿入口に挿入するヒューズボックスのヒューズ挿入方法であって、
最初に、第１のプレートをヒューズボックスのヒューズ群装着面に位置決めして置いて、第１のプレートの各ヒューズ通し穴の位置のヒューズ挿入口に第１の容量のヒューズを挿入し、
次いで、第２のプレートをヒューズボックスのヒューズ群装着面に位置決めして置いて、第２のプレートの各ヒューズ通し穴のうち空いている箇所のヒューズ挿入口に第２の容量のヒューズを挿入し、
以下同様にして、第ｎのプレートをヒューズボックスのヒューズ群装着面に位置決めして置いて、第ｎのプレートの各ヒューズ通し穴のうち空いている箇所のヒューズ挿入口に第ｎの容量のヒューズを挿入することを特徴とする。
【００１３】
【発明の実施の形態】
以下、本発明の実施の形態を図１〜図１０を参照して説明する。図１は本発明の一実施形態のヒューズ誤挿入防止治具９の斜視図、図２は対象とするヒューズボックス１０の斜視図、図３（イ）〜（ハ）はそれぞれ図１のヒューズ誤挿入防止治具９を構成する各プレート１１、１２、１３の平面図、図４（イ）〜（ホ）は前記ヒューズ誤挿入防止治具９を用いて各ヒューズ７（７ａ、７ｂ、７ｃ）をヒューズボックス１０に装着する手順を説明する平面図である。
【００１４】
図２に示した実施形態のヒューズボックス１０は、その上面（ヒューズ群装着面）１０ａに、１０Ａ（アンペア）のヒューズ７ａを挿入するヒューズ挿入口１９ａを１つ、２０Ａのヒューズ７ｂを挿入するヒューズ挿入口１９ｂを２つ、１５Ａのヒューズ７ｃを挿入するヒューズ挿入口１９ｃを３つの合計６つのヒューズ挿入口を備えている。また、ヒューズボックス１０の上面側の四隅にプレート位置決め枠２０を備えている。また、片側の一対の位置決め枠２０には車体側への取付ブラケット２１が一体に設けられている。
【００１５】
このヒューズボックス１０に装着される６つのヒューズ７（７ａ、７ｂ、７ｃ）は、いずれも図１０で示したブレード形のヒューズ７であり、前記の通り、ヒューズ容量が１０Ａ、２０Ａ、１５Ａの３種類であるが、すべて同一形状である。そして、それらのヒューズ７のヒューズ容量の違いは、そのカバーケース８を異なる色とすること、および上面に印刷された容量表示で、識別可能としている。
【００１６】
前記ヒューズ誤挿入防止治具９は、ヒューズ容量の異なる３種のヒューズ７ａ、７ｂ、７ｃに対応する図３（イ）、（ロ）、（ハ）の３枚のプレート１１，１２，１３からなっている。第１のプレート１１は、１０Ａのヒューズ（第１の容量のヒューズ）７ａが挿入される１つのヒューズ挿入口１９ａに対応する１つのヒューズ通し穴１５ａを備えている。第２のプレート１２は、１０Ａのヒューズ７ａと２０Ａのヒューズ（第２の容量のヒューズ）を合わせた３つのヒューズ７ａ、７ｂが挿入される３つのヒューズ挿入口１９ａ、１９ｂに対応する３つのヒューズ通し穴１５ｂを備えている。第３のプレート１３は、１０Ａのヒューズ７ａと２０Ａのヒューズ７ｂと１５Ａのヒューズ（第３の容量のヒューズ）７ｃとを合わせた６つのヒューズ７ａ、７ｂ、７ｃが挿入される６つのヒューズ挿入口１９ａ、１９ｂ、１９ｃに対応する６つのヒューズ通し穴１５ｃを備えている。
各プレート１１，１２，１３は、ヒューズボックス１０の矩形の上面１０ａと概ね同一の形状であるが、左右部の１対の位置決め枠２０の間に嵌合する凸部１１ａ、１２ａ、１３ａを備えている。また、図１のように、リング状部材１６により第１のプレート１１、第２のプレート１２、第３のプレート１３の順に、すなわち、ヒューズ挿入口の数の少ない順に綴じ合わせている。
【００１７】
上記ヒューズ誤挿入防止治具９を用いてヒューズボックス１０に上記６つのヒューズ７ａ、７ｂ、７ｃを装着する要領を説明すると、図４（イ）はヒューズボックス１０の平面図（ブラケット２１は省略）である。ヒューズボックス１０の上面１０ａに第１のプレート１１を四隅の位置決め枠２０内に収容するようにして置くと、第１のプレート１１の１つのヒューズ通し穴１５ａとヒューズボックス１０の１０Ａヒューズ用の１つのヒューズ挿入口１９ａとが一致する（図４（ロ）、図５参照）。そこで、そのヒューズ通し穴１５ａの位置のヒューズ挿入口に１０Ａのヒューズ７ａを挿入すると、この１０Ａのヒューズ７ａは、そのヒューズ容量に正しく対応するヒューズ挿入口１９ａに挿入されたことになる。
次いで、第１のプレート１１を外し、第２のプレート１２を同様にしてヒューズボックス１０の上面１０ａに置くと、第２のプレート１２の３つのヒューズ通し穴１５ｂの１つには、先に挿入されたヒューズ７ａが入った状態、残りの２つのヒューズ通し穴１５ｂは空いた状態となる（図４（ハ）参照）。前記の空いた２つのヒューズ通し穴１５ｂはヒューズボックス１０の２０Ａヒューズ用の２つのヒューズ挿入口１９ｂと一致しているので、その２つのヒューズ通し穴１５ｂの位置のヒューズ挿入口に２０Ａのヒューズ７ｂを挿入すると、この２０Ａの２つのヒューズ７ｂは、そのヒューズ容量に正しく対応するヒューズ挿入口１９ｂに挿入されたことになる。
次いで、第２のプレート１２を外し、第３のプレート１３を同様にしてヒューズボックス１０の上面１０ａに置くと、第３のプレート１３の６つのヒューズ通し穴１５ｃのうちの３つには、先に挿入されたヒューズ７ａ、７ｂが入った状態、残りの３つのヒューズ通し穴１５ｃは空いた状態となる（図４（ニ）参照）。前記の空いた３つのヒューズ通し穴１５ｃはヒューズボックス１０の１５Ａヒューズ用の３つのヒューズ挿入口１９ｃと一致しているので、その３つのヒューズ通し穴１５ｃの位置のヒューズ挿入口に１５Ａのヒューズ７ｃを挿入すると、この１５Ａの３つのヒューズ７ｃは、そのヒューズ容量に正しく対応するヒューズ挿入口１９ｃに挿入されたことになる。
こうして、図４（ホ）のように、６つのヒューズ７ａ、７ｂ、７ｃがいずれも、それぞれのヒューズ容量に正しく対応するヒューズ挿入口１９ａ、１９ｂ、１９ｃに挿入される。
【００１８】
上記のヒューズ挿入作業において、特定のヒューズ容量のヒューズを挿入する際に、選択するプレートを誤らなければ、その後は、行なうべき作業が一義的に決定され、ほとんど必然的に正しいヒューズ挿入が行なわれるので、同一形状でヒューズ容量の異なる複数のヒューズを、そのヒューズ容量に対応するヒューズ挿入口に誤りなく挿入することができる。
また、ヒューズ誤挿入防止対策として、単に誤挿入防止治具９を用意するだけで済み、ヒューズボックス側にヒューズの誤挿入を防止する機能を付加する必要がないので、簡便である。
また、プレートの空いているヒューズ通し穴からヒューズを挿入するだけで誤りなく挿入できるので、ヒューズボックスのヒューズ容量表示を見ながらヒューズを挿入する従来方法と比べて、特に注意深さを要せずにすばやく挿入することができ、作業能率が大幅に向上する。
【００１９】
また、上述の実施形態では、第１のプレート１１で挿入するヒューズ７ａの数が１つ（Ｍ１＝１）、第２のプレート１２で挿入するヒューズ７ｂの数が２つ（Ｍ２＝２）、第３のプレート１３で挿入するヒューズ７ｃの数が３つ（Ｍ３＝３）というように、先に挿入するヒューズの数を少なくしているので、ヒューズの誤挿入の恐れが一層少なくなっている。すなわち、先に挿入するヒューズの数が多いと、先のプレートでのヒューズ挿入作業で例えば１つのヒューズの挿入忘れがあった場合、後のプレートのヒューズ挿入口の空いているものすべてにヒューズを挿入すると（この段階で行なう作業としては誤っていない）、前記忘れた１つのヒューズの代わりに容量不一致の別のヒューズを挿入することになる。したがって、先に挿入するヒューズの数を少なくして、ヒューズ挿入忘れが発生する可能性を極力小さくすることが好ましい。ただし、実際には、空いているヒューズ挿入口を見損じることは極めて少ないと考えられるので、プレートの選択を誤らなければ、実質的にはほとんど誤挿入は生じない。特に、図１のように各プレート１１、１２、１３をヒューズ挿入口の少ない順に綴じ合わせていれば、プレートの選択を誤る恐れはなく、ヒューズ誤挿入は生じない。
【００２０】
上記の通り、実施形態では第１、第２、第３のプレートとして、同種（同じヒューズ容量）のヒューズの数が少ない順（Ｍ１＜Ｍ２＜Ｍ３）にしたが、これに限らず、図６（イ）、（ロ）、（ハ）に示すように、例えばヒューズ容量順としてもよい。すなわち、第１のプレート１１’を１０Ａヒューズ用、第２のプレート１２’を１５Ａヒューズ用、第３のプレート１３’を２０Ａヒューズ用とする。この場合、第１のプレート１１’は上述のものと同じく１つのヒューズ通し穴１５ａを持つが、第２のプレート１２’は４つのヒューズ挿入口（１つのヒューズ挿入口１９ａと３つのヒューズ挿入口１９ｃ）に対応する４つのヒューズ通し穴１５’ｂを持つ。そして、第３のプレート１３’は、すべてのヒューズ挿入口１９ａ、１９ｂ、１９ｃに対応する６つのヒューズ通し穴１５’ｃを持つ。
【００２１】
また、ヒューズ挿入忘れを防ぐ手段として、図７（イ）のプレート２２のように当該プレート２２でヒューズを挿入すべきヒューズ通し穴１５ｂは通常の大きさとし、それ以前に挿入されたヒューズのためのヒューズ通し穴１５”ｂは大きくしてもよい。また、その逆にすることもできる。
【００２２】
また、図７（ロ）のプレート２３のように、それ以前に挿入されたヒューズのためのヒューズ通し穴１５”ｂの周囲をヒューズのカバーケースと同色に着色して、先にヒューズが挿入されたヒューズ挿入口１５”ｂとそのプレートでヒューズを挿入すべきヒューズ挿入口１５ｂとを区別してもよい。着色部（区別標識）を２３ａで示す。この場合は、そのプレート２３でのヒューズ挿入忘れを防止できるだけでなく、先に挿入したヒューズの誤挿入を容易に発見することができる。また、これと逆に、当該プレート２３でヒューズを挿入すべきヒューズ通し穴１５ｂの周囲に着色してもよい。
また、図７（ハ）のプレート２４のように、当該プレート２４でヒューズを挿入すべきヒューズ通し穴１５ｂの縁部に、ヒューズ容量（図示例では「２０Ａ」）を記載してもよい。
【００２３】
また、最終的な確認を行なうために、図８に示すように、ヒューズボックス１０のすべてのヒューズ挿入口１９ａ、１９ｂ、１９ｃに対応した確認用穴２５を設けた最終確認用プレート２６を別途に設けてもよい。この場合、確認用穴２５の縁部に容量種類の確認のための容量確認用標識２７ａ、２７ｂ、２７ｃを設ける。図示例の容量確認用標識２７ａ、２７ｂ、２７ｃは、確認用穴２５の周囲をヒューズのカバーケースと同色にした着色部である。
なお、図１〜図４の実施形態における第３のプレート１３はすべてのヒューズ通し穴を持つので、各ヒューズ通し穴の縁部に容量識別標識を設けて、この第３のプレート１３を最終確認用プレートと兼用してもよい。
【００２４】
また、上述の実施形態では、ヒューズボックス１０の上面にプレート位置決め枠２０を備えているが、図９に示すように、プレート１１’（第１のプレート１１’のみ図示）の側面に位置決め枠２０’を設けてもよい。この構造によれば、ヒューズボックス１０側に位置決め枠を必要としない。また、その他、種々の位置決め手段が考えられる。
また、本発明の対象とするヒューズボックスは、独立したヒューズボックスである場合に限らず、例えば、ヒューズボックス部分とともに電気回路ユニットや各種コネクタを備えた電気接続箱等にも当然適用できる。
【００２５】
本発明で対象とするヒューズは、ヒューズ容量によらず形状が同一であるが、厳格に形状同一であることを意味するものではなく、すべてのヒューズが、その形状によって制限されることなく、ヒューズボックスの任意のヒューズ挿入口に挿入し得ることを意味する。
また、本発明のヒューズ誤挿入防止治具は、上記実施形態のブレード形ヒューズに限らず、例えば自動車のヒュージブルリンクその他のヒューズに適用可能である。
【００２６】
【発明の効果】
本発明のヒューズ誤挿入防止治具によれば、ヒューズをヒューズボックスに装着する際に、選択するプレートを誤らなければ、その後は、行なうべき作業が一義的に決定され、ほとんど必然的に正しいヒューズ挿入が行なわれるので、各ヒューズをそのヒューズ容量に対応するヒューズ挿入口に誤りなく挿入することができる。
また、プレートを正しく選択すれば、あとは単にヒューズをプレートのヒューズ通し穴から挿入するだけで正しいヒューズ挿入が行なわれるので、ヒューズ容量表示を見ながらヒューズを挿入する従来方法と比べて、特に注意深さを要せず、迅速に挿入することができ、作業能率が大幅に向上する。
また、ヒューズ誤挿入防止対策として、単に誤挿入防止治具を用意するだけで済み、ヒューズボックス側にヒューズの誤挿入を防止する機能を付加する必要がないので、簡便である。
【００２７】
請求項２によれば、プレートの選択を、綴じ合わせた順序通りに行なえば、正しいプレートの選択が行なわれるので、プレートの選択を誤まる恐れはなくなり、また、作業が能率的になる。
【００２８】
請求項３によれば、プレートを置いてヒューズを挿入する際のヒューズ挿入忘れを極力少なくすることができる。
【００２９】
請求項４によれば、前記と同様に、プレートを置いてヒューズを挿入する際のヒューズ挿入忘れを極力少なくすることができる。また、先に挿入されているヒューズの誤挿入を容易に発見することができる。
【００３０】
請求項５によれば、ヒューズが正しく挿入されたか否かの最終的な確認を容易に行なうことができる。
【図面の簡単な説明】
【図１】本発明の一実施形態のヒューズ誤挿入防止治具を示す斜視図である。
【図２】図１のヒューズ誤挿入防止治具でヒューズを装着しようとするヒューズボックスの斜視図である。
【図３】（イ）、（ロ）、（ハ）はそれぞれ図１のヒューズ誤挿入防止治具を構成する第１、第２、第３の各プレートの平面図である。
【図４】図１のヒューズ誤挿入防止治具を用いて各ヒューズをヒューズボックスに装着する手順を説明する図で、（イ）〜（ホ）の順に行なわれる。
【図５】ヒューズボックス上に第１のプレートを置いた図４（ロ）の状態で、ヒューズをヒューズ挿入口に挿入しようとする状況を説明する図である。
【図６】本発明の他の実施形態示すもので、（イ）、（ロ）、（ハ）はそれぞれ異なる実施形態のヒューズ誤挿入防止治具を構成するプレートうちの一枚を示す平面図である。
【図７】本発明のさらに他の実施形態のヒューズ誤挿入防止治具を示すもので、（イ）、（ロ）、（ハ）はそれぞれヒューズ誤挿入防止治具を構成する第１、第２、第３の各プレートの平面図である。
【図８】本発明のさらに他の実施形態のヒューズ誤挿入防止治具を構成するプレートを示す平面図である。
【図９】本発明のさらに他の実施形態のヒューズ誤挿入防止治具の分解斜視図である。
【図１０】上記ヒューズボックスに装着されるブレード形ヒューズの詳細形状を示すもので、（イ）は正面図、（ロ）は側面図である。
【図１１】従来のヒューズ誤挿入防止構造を示す斜視図である。
【符号の説明】
７  ヒューズ
７ａ    １０Ａ（アンペア）のヒューズ（第１の容量のヒューズ）
７ｂ    ２０Ａのヒューズ（第２の容量のヒューズ）
７ｃ    １５Ａのヒューズ（第３の容量のヒューズ）
８ａ、８ｂ、８ｃ  カバーケース
９  ヒューズ誤挿入防止治具
１０  ヒューズボックス
１０ａ  上面（ヒューズ群装着面）
１１、１１’    第１のプレート
１２、１２’、２２、２３、２４      第２のプレート
１３、１３’    第３のプレート
１５ａ、１５ｂ、１５ｃ    ヒューズ通し穴
１９ａ、１９ｂ、１９ｃ    ヒューズ挿入口
２０、２０’  位置決め枠
２３ａ  着色部（区別標識）
２５  確認用穴
２６  最終確認用プレート
２７ａ、２７ｂ、２７ｃ  容量確認用標識
【図１】
2004186054.tif 000003
【図２】
2004186054.tif 000004
【図３】
2004186054.tif 000005
【図４】
2004186054.tif 000006
【図５】
2004186054.tif 000007
【図６】
2004186054.tif 000008
【図７】
2004186054.tif 000009
【図８】
2004186054.tif 000010
【図９】
2004186054.tif 000011
【図１０】
2004186054.tif 000012
【図１１】
2004186054.tif 000013